(57)【要約】【課題】複数の葉の全体での光合成の効率を向上させることができる植物育成装置を提供する。【解決手段】植物育成装置１００は、少なくとも１つの植物２０の地下部２１の上方に設置された複数の筒状部５０を備えている。複数の筒状部５０のそれぞれは、光を内側に透過させる光透過部を有し、少なくとも１つの植物２０の複数の茎２０ｂ１，２０ｂ２のうちのいずれか１つを受け入れるように配置されている。これにより、ある茎２０ｂ１から伸びる葉２２１とある茎２０ｂ１に隣り合う茎２０ｂ２から伸びる葉２２２とは、平面視において重なり合わない。【選択図】図２
2017131183.tif 000002
【特許請求の範囲】
【請求項１】
少なくとも１つの植物の地下部の上方に設置された複数の筒状部を備え、
前記複数の筒状部のそれぞれは、光を内側に透過させる光透過部を有し、前記少なくとも１つの植物の地下部から伸びる複数の茎のうちのいずれか１つを受け入れるように配置された、植物育成装置。
【請求項２】
前記複数の筒状部は同一方向に沿って延びるように配置され、前記複数の筒状部のうちの隣り合う２つの筒状部同士が互いに接触するように設けられた、請求項１に記載の植物育成装置。
【請求項３】
前記複数の筒状部は、それぞれ、同一の大きさおよび同一の形状を有し、かつ、正三角形、長方形、もしくは正六角形の底面を有する仮想角柱の少なくとも側面を形作る角筒であるか、または、仮想円柱の少なくとも周面を形作る円筒である、請求項１または２に記載の植物育成装置。
【請求項４】
前記複数の筒状部のうちの隣り合う２つの筒状部同士が固定部によって互いに固定されるか、または、前記複数の筒状部が一体成形された、請求項１〜３のいずれかに記載の植物育成装置。
【請求項５】
前記複数の筒状部のそれぞれは、少なくとも１つの通気孔を有する、請求項１〜４のいずれかに記載の植物育成装置。
【請求項６】
前記複数の筒状部の全体が透明部材によって構成された、請求項１〜５のいずれかに記載の植物育成装置。
【請求項７】
前記複数の筒状部は、それぞれ、その内側に光を反射するように設けられた反射面を有する、請求項１〜５のいずれかに記載の植物育成装置。
【請求項８】
それぞれが前記複数の筒状部のうちのいずれか１つ内において前記複数の茎のうちのいずれか１つを保持する複数の保持部と、
それぞれが、前記複数の筒状部のうちのいずれか１つ内において延びるように、前記複数の保持部のうちのいずれか１つに接続された複数の紐状部と、を備え、
それぞれが前記複数の茎のうちのいずれか１つの伸長に応じて前記複数の紐状部のうちのいずれか１つを引き上げる複数の引上部をさらに備えるか、または、前記複数の紐状部のそれぞれが前記複数の茎のうちのいずれか１つの伸長に応じて前記複数の保持部のうちのいずれか１つを引き上げる弾性体で形成された、請求項１〜７のいずれかに記載の植物育成装置。
【請求項９】
それぞれが前記複数の筒状部のうちのいずれか１つの下端に設けられた複数の可撓性の管状部をさらに備え、
前記複数の可撓性の管状部のそれぞれは、前記複数の茎のうちのいずれか１つを前記複数の筒状部のうちのいずれか１つへ導く形状を有する、請求項１〜８のいずれかに記載の植物育成装置。
【請求項１０】
平面視において前記複数の筒状部の全体の外周を取り囲む導管形状を有し、その内側面で光を反射することにより、前記複数の筒状部の内側へ光を導く遮光部をさらに備えた、請求項１〜９のいずれかに記載の植物育成装置。
【請求項１１】
前記複数の筒状部に１対１の対応で設けられた複数の発光部を含む、請求項１〜１０のいずれかに記載の植物育成装置。
【請求項１２】
前記複数の発光部のそれぞれは、前記複数の筒状部のうちのいずれか１つの内側に設けられ、
前記複数の筒状部は、それぞれ、その内側に前記複数の発光部が発した光を反射するように設けられた反射面を有する、請求項１１に記載の植物育成装置。
【請求項１３】
前記複数の発光部のそれぞれは、前記複数の筒状部のうちのいずれか１つの前記光透過部を通じて前記複数の筒状部のうちのいずれか１つの内側に光を入射させるように、前記複数の筒状部のうちのいずれか１つの外側に設けられた、請求項１１に記載の植物育成装置。
【請求項１４】
それぞれが前記複数の発光部のうちのいずれか１つを前記複数の筒状部のうちのいずれか１つが延びる方向に沿って移動させる複数の移動部をさらに備えた、請求項１１〜１３のいずれかに記載の植物育成装置。
【発明の詳細な説明】
【技術分野】
【０００１】
人工的に植物を育成するための植物育成装置に関する。
【背景技術】
【０００２】
従来から、次に示される特許文献１（図１１参照）に開示されているように、植物を育成するための装置の開発が行われている。特許文献１においては、１つの植物育成装置内において、複数の植物を互いに隣接した状態で成長させることが開示されている。
【先行技術文献】
【特許文献】
【０００３】
【特許文献１】特開２０１４−１８１１７号公報
【発明の概要】
【発明が解決しようとする課題】
【０００４】
上記した特許文献１に開示されている植物育成装置のように互いに隣接した複数の植物を育成する場合、ある茎から伸びる葉とそのある茎に隣接する茎から伸びる葉とが、光源からの光の進行方向において重なってしまう。また、１つの株から互いに隣接した複数の茎が伸びる植物を育成する場合においても、ある茎から伸びる葉とそのある茎に隣接する茎から伸びる葉とが、光源からの光の進行方向において重なってしまう。そのため、光源が発した光は、重なり合った複数の葉のうちの光源に近い側の葉によって遮られてしまう。その結果、重なり合った複数の葉のうちの光源から遠い側の葉に照射される光の量は、重なり合った複数の葉のうちの光源に近い側の葉に照射される光の量に比較して少ない。したがって、複数の葉の全体での光合成の効率が低下してしまう。
【０００５】
本発明は、このような従来技術の有する課題に鑑みてなされたものである。そして、本発明の目的は、複数の葉の全体での光合成の効率を向上させることができる植物育成装置を提供することである。
【課題を解決するための手段】
【０００６】
上記課題を解決するために、本発明のある態様に係る植物育成装置は、少なくとも１つの植物の地下部の上方に設置された複数の筒状部を備え、前記複数の筒状部のそれぞれは、光を内側に透過させる光透過部を有し、前記少なくとも１つの植物の地下部から伸びる複数の茎のうちのいずれか１つを受け入れるように配置されている。
【発明の効果】
【０００７】
本発明によれば、複数の葉の全体での光合成の効率を向上させることができる。
【図面の簡単な説明】
【０００８】
【図１】本発明の実施の形態１の植物育成装置の縦断面模式図であって、植物育成装置内に、植物が収容された後、筒状部が設置される前の状態を示す図である。
【図２】本発明の実施の形態１の植物育成装置の縦断面模式図であって、筒状部が植物育成装置内に設置された後の状態を示す図である。
【図３】本発明の実施の形態１の変形例の植物育成装置の筒状部の縦断面模式図である。
【図４】本発明の実施の形態２の植物育成装置の筒状部の横断面模式図である。
【図５】本発明の実施の形態２の植物育成装置の第１の変形例の筒状部の横断面模式図である。
【図６】本発明の実施の形態２の植物育成装置の第２の変形例の筒状部の横断面模式図である。
【図７】本発明の実施の形態２の植物育成装置の第３の変形例の筒状部の横断面模式図である。
【図８】本発明の実施の形態４の植物育成装置の筒状部の縦断面模式図である。
【図９】本発明の実施の形態６の植物育成装置の筒状部の縦断面模式図である。
【図１０】本発明の実施の形態６の植物育成装置の変形例の筒状部の縦断面模式図である。
【図１１】本発明の実施の形態８の植物育成装置の筒状部の縦断面模式図であって、植物の茎が成長する前の状態を説明するための図である。
【図１２】本発明の実施の形態８の植物育成装置の筒状部の縦断面模式図であって、植物の茎が成長した後の状態を説明するための図である。
【図１３】本発明の実施の形態８の植物育成装置の変形例の筒状部の縦断面模式図であって、植物の茎が成長する前の状態を説明するための図である。
【図１４】本発明の実施の形態８の植物育成装置の変形例の筒状部の縦断面模式図であって、植物の茎が成長した後の状態を説明するための図である。
【図１５】本発明の実施の形態９の植物育成装置の筒状部の縦断面模式図であって、植物の茎が成長する前の状態を説明するための図である。
【図１６】本発明の実施の形態９の植物育成装置の筒状部の縦断面模式図であって、植物の茎が成長した後の状態を説明するための図である。
【図１７】本発明の実施の形態１０の植物育成装置の筒状部および遮光部の横断面模式図である。
【図１８】本発明の実施の形態１０の植物育成装置の筒状部および遮光部の縦断面模式図である。
【図１９】本発明の実施の形態１１の植物育成装置の筒状部の縦断面模式図である。
【図２０】本発明の実施の形態１１の変形例の植物育成装置の筒状部の縦断面模式図である。
【図２１】本発明の実施の形態１２の植物育成装置の筒状部の縦断面模式図である。
【図２２】本発明の実施の形態１２の変形例の植物育成装置の筒状部の縦断面模式図である。
【図２３】本発明の実施の形態１３の植物育成装置の筒状部の縦断面模式図であって、植物の茎が成長する前の状態を説明するための図である。
【図２４】本発明の実施の形態１３の植物育成装置の筒状部の縦断面模式図であって、植物の茎が成長した後の状態を説明するための図である。
【発明を実施するための形態】
【０００９】
以下、図面を参照しながら、実施の形態の植物育成装置を説明する。
【００１０】
各実施の形態において、同一の参照符号が付されている部位は、同一の機能を有するものとする。したがって、特に必要がなければ、同一参照符号が付された部位の機能の説明は繰り返さない。
【００１１】
（実施の形態１）
図１および図２を用いて、実施の形態１の植物育成装置１００を説明する。
【００１２】
図１に示されるように、本実施の形態の植物育成装置１００は、植物２０を収容する筐体１を備えている。筐体１は、１つの底面部１３、４つの側面部１２、および１つの天井面部１１を有する直方体形状をなしている。筐体１の内部空間は、仕切部２によって地下空間９１と地上空間９２とに分離されている。地下空間９１においては、植物２０の地下部２１が成長する。地上空間９２においては、植物２０の地上部２２が成長する。
【００１３】
植物２０の仕切部２は、開口部２Ａを有している。植物２０の地下部２１は、塊茎２０ａ、根２０ｃ、および複数の茎２０ｂ１，２０ｂ２を含んでいる。塊茎２０ａは、筐体１の側面部１２に固定された網１０の上に置かれている。塊茎２０ａから伸びる根２０ｃの先端は、網１０の目を通過して、養液６に浸っている。塊茎２０ａから伸びる複数の茎２０ｂ１，２０ｂ２の先端は、地下空間９１から開口部２Ａを経由して地上空間９２まで到達している。図１においては、１つの地下部２１が描かれているが、これは少なくとも１つの地下部２１の一例である。また、図１においては、２つの茎２０ｂ１，２０ｂ２が描かれているが、これは複数の茎の一例を示すためのものである。
【００１４】
天井面部１１には、光源５が設けられている。光源５は、地上空間９２に光を照射する。それにより、光源５が発した光は、地上空間９２から開口部２Ａを経由して地下空間９１へ進入する。複数の茎２０ｂ１，２０ｂ２は、光に誘導されるように伸長する。そのため、複数の茎２０ｂ１，２０ｂ２は、地下空間９１から開口部２Ａを経由して地上空間９２へ伸長する。複数の茎２０ｂ１，２０ｂ２のそれぞれの先端が地上空間９２に到達した後、開口部２Ａは、必要に応じて、柔軟性を有するスポンジ等によって閉塞されてもよい。
【００１５】
図１から分かるように、本実施の形態の植物育成装置１００においては、植物２０は、塊茎２０ａから伸びる根２０ｃを養液６に浸すことによって栄養を吸収しながら、塊茎２０ａから伸びる複数の茎２０ｂ１，２０ｂ２を成長させる。つまり、植物育成装置１００は、水耕栽培装置である。この水耕栽培装置によって栽培される植物２０としては、ジャガイモ等の根菜類が挙げられる。
【００１６】
図２に示されるように、実施の形態の植物育成装置１００は、少なくとも１つの植物２０の地下部２１の上方に設置された複数の筒状部５０を備えている。図２においては、２つの筒状部５０が描かれているが、これは複数の筒状部の一例である。
【００１７】
複数の筒状部５０は、多少の弾性を有していてもよいが、植物２０の複数の茎２０ｂ１，２０ｂ２の成長に応じて形状が変化しない程度の剛性を有していることが好ましい。複数の筒状部５０は、内側に光を進入させるための光透過部、すなわち、透明部および開口部のうちの少なくともいずれか一方を有しているのであれば、たとえば、プラスチックまたはゴム等で形成された部分を有していてもよい。
【００１８】
図２に示されるように、複数の筒状部５０には、それぞれに対応する位置固定部５１が取り付けられている。複数の位置固定部５１は、それぞれに対応する側面部１２に固定されている。複数の位置固定部５１は、複数の筒状部５０と筐体１とをそれぞれ固定している。それにより、複数の筒状部５０は、地下部２１の上方に位置付けられている。ただし、位置固定部５１は、天井面部１１に固定されていてもよい。また、位置固定部５１は、仕切部２と複数の筒状部５０とを固定するものであってもよい。これらに限らず、植物育成装置１００は、複数の筒状部５０を地下部２１の上方に位置付ける何らかの部分を有していればよい。さらに、植物育成装置１００が位置固定部５１を有しておらず、複数の筒状部５０が仕切部２の上に直接置かれてもよい。
【００１９】
前述のように、複数の筒状部５０は、それぞれ、光を内側に通過させる光透過部を有している。具体的には、複数の筒状部５０のそれぞれの少なくとも一部が透明材料によって形成されていればよいが、複数の筒状部５０のそれぞれの全体が透明材料で形成されていてもよい。
【００２０】
図２に示されるように、複数の筒状部５０は、それぞれ、地下部２１から伸びる複数の茎２０ｂ１，２０ｂ２のうちのいずれか１つのみが挿入されるように配置されている。具体的には、図２において、一方の筒状部５０および他方の筒状部５０は、いずれも、開口部５０Ｂを通過した茎２０ｂ１および茎２０ｂ２の先端を１本ずつ受け入れる。この状態で、茎２０ｂ１および茎２０ｂ２から葉２２１および葉２２２が成長する。
【００２１】
図２に示されるように、光源５は、複数の筒状部５０の上方に設けられている。そのため、複数の筒状部５０のそれぞれの上側の透明材料からなる面を透過した光が植物２０に照射される。
【００２２】
上記の構成によれば、ある茎２０ｂ１から伸びる葉２２１とそのある茎２０ｂ１に隣り合う茎２０ｂ２から伸びる葉２２２とは、複数の筒状部５０のそれぞれの空間内で個別に成長するため、重なり合わない。そのため、複数の茎２０ｂ１，２０ｂ２から伸びる複数の葉２２１，２２２の全体は、光源５から発せられた光をより多く受け取る。その結果、複数の葉２２１，２２２全体での光合成の効率を向上させることができる。
【００２３】
本実施の形態においては、１つの塊茎２０ａから複数の茎２０ｂ１，２０ｂ２が伸長する例が示されている。しかしながら、複数の塊茎のそれぞれが１本ずつ茎を伸長させることにより、複数の植物が全体として複数の茎を有する場合においても、複数の筒状部５０のそれぞれに１本ずつ茎を挿入することにより、複数の葉全体での光合成の効率を向上させることができる。
【００２４】
図２に示されるように、複数の筒状部５０のそれぞれは、仮想円柱の周面または仮想角柱の側面を形作る部分および仮想円柱または仮想角柱の一方の底面を形作る部分からなり、円柱または角柱の他方の底面に開口部５０Ａが形成されている。つまり、複数の筒状部５０のそれぞれにおいては、その一方端が完全に閉塞された閉塞端を構成し、かつ、その他方端が開口部を有する開放端を構成している。言い換えれば、複数の筒状部５０のそれぞれの上側端のみが透明部材で閉塞されている。
【００２５】
図３に示されるように、複数の筒状部５０は、それぞれ、仮想円柱の周面または仮想角柱の側面を形作る部分のみからなり、仮想円柱または仮想角柱の一方の底面および他方の底面の双方に開口部５０Ａ，５０Ｂが形成されているものであってもよい。この場合、複数の筒状部５０の一方の開口部５０Ａから他方の開口部５０Ｂへ向かう気流またはその逆向きの気流が自然に生じる。そのため、葉２２１，２２２から放出される水蒸気が複数の筒状部５０の外部へ排出される。その結果、植物２０の蒸散作用が複数の筒状部５０の存在に起因して抑制されてしまうおそれが低減される。
【００２６】
また、上述した筒状部５０は、おおよその形状が内部に中空を有する管状の構造であれば、多少の凹凸、孔、曲がり部、または付随的な部分を有していてもよい。
【００２７】
本実施の形態においては、複数の筒状部５０のそれぞれの光透過部は、光が透過できる透明な部分であるものとしたが、貫通孔または開口であってもよい。複数の筒状部５０のそれぞれの光透過部は、光をその内側に透過するものであれば、無色透明および有色透明のいずれであってもよい。
【００２８】
本実施の形態の植物育成装置１００を用いて水耕栽培を実行する場合、植物２０の地下部２１は地下空間９１で栽培される。この場合、位置固定部５１は、筐体１の天井面部１１もしくは側面部１２と筒状部５０とを固定するか、または、仕切部２と筒状部５０とを固定する。一方、複数の筒状部５０を用いて圃場などの環境において植物２０が栽培される場合、地下部２１は、土壌中で栽培される。この場合、位置固定部５１の代わりに、土壌と筒状部５０とを固定する位置固定部が用いられてもよい。このような環境下における植物の栽培においては、複数の筒状部５０と位置固定部とが植物育成装置を構成する。ただし、圃場などの環境下における植物の栽培においては、位置固定部が設けられておらず、複数の筒状部５０が土壌の上に直接置かれてもよい。
【００２９】
図２および図３に示されるように、本実施の形態においては、複数の筒状部５０は同一方向に沿って伸びるように配置されている。複数の筒状部５０のうちの隣り合う２つの筒状部５０同士が互いに接触するように設けられている。したがって、各筒状部５０内の空間を大きくしながら、平面視における複数の筒状部５０の全体の占有面積を小さくすることができる。
【００３０】
複数の筒状部５０の材質は、光透過性が高い材料が好ましい。そのため、複数の筒状部５０が、たとえば、アクリル樹脂またはポリカーボネート樹脂によって構成されていることが好ましい。
【００３１】
本実施の形態の植物２０の育成方法においては、植物２０の育成者が複数の筒状部５０のそれぞれに茎２０ｂ１，２０ｂ２を１本ずつ挿入してもよい。また、植物２０の複数の茎２０ｂ１，２０ｂ２は、自然に成長することによって、複数の筒状部５０のそれぞれに１本ずつ挿入されてもよい。この場合、複数の筒状部の数が複数の茎の数よりも多い場合には、複数の筒状部のうちのいずれかに茎が挿入されていなくてもよい。また、複数の筒状部のいずれか１つに複数の茎が挿入された場合には、植物の育成者が複数の茎のうちの１本を残し、それ以外の他の茎を間引いてもよい。
【００３２】
（実施の形態２）
以下、図４〜図７を用いて、実施の形態２の植物育成装置１００を説明する。本実施の形態の植物育成装置１００は、実施の形態１の植物育成装置１００とほぼ同様である。そのため、以下、本実施の形態の植物育成装置１００と実施の形態１の植物育成装置１００との相違点を主に説明する。
【００３３】
図４に示されるように、本実施の形態の複数の筒状部５０は、それぞれ、同一の大きさおよび同一の形状を有し、かつ、正三角形の底面を有する仮想角柱の少なくとも側面を形作る角筒である。複数の筒状部５０の平断面は、仮想正三角形の外形に沿って延びる構造である。これにより、複数の筒状部５０同士の間に形成される隙間、すなわちデッドスペースをなくすことができる。
【００３４】
図５に示されるように、本実施の形態の第１の変形例の複数の筒状部５０は、それぞれ、同一の大きさおよび同一の形状を有し、かつ、長方形の底面を有する仮想角柱の少なくとも側面を形作る角筒である。複数の筒状部５０のそれぞれの平断面は、仮想長方形の外形に沿って延びる構造である。なお、この仮想長方形は、正方形であることが好ましい。これによっても、複数の筒状部５０同士の間に形成される隙間、すなわちデッドスペースをなくすことができる。また、図５に示されるそれぞれが長方形の底面を有する仮想角柱の少なくとも側面を形作る複数の角筒の集合体を筐体１内へ収納することは容易である。さらに、筐体１が直方体の内部空間を有する場合には、図５に示されるような構造を用いれば、空間利用効率を向上させることができる。
【００３５】
図６に示されるように、本実施の形態の第２の変形例の複数の筒状部５０は、それぞれ、正六角形の底面を有する仮想角柱の少なくとも側面を形作る角筒である。これによっても、複数の筒状部５０同士の間に形成される隙間、すなわちデッドスペースをなくすことができる。正六角形の底面を有する仮想角柱の少なくとも側面を形作る角筒同士は、密着することができるため、デッドスペースを実質的になくすことが容易である。
【００３６】
また、図４に示される仮想正三角形の外形に沿った構造または図５に示される仮想長方形の外形に沿って延びる構造に比較して、角部の角度を大きくすることができる。具体的には、図６に示される仮想正六角形の外形に沿って延びる構造は、角部の角度が１２０度という鈍角である。これにより、植物２０は、一般に、放射状に枝および葉を伸長させるため、光合成の効率を高めることができる。また、図４に示される仮想正三角形の外形に沿って延びる構造または図５に示される仮想長方形の外形に沿って延びる構造に比較して、図６に示される仮想正六角形の外形に沿って延びる構造は、その内部での光の散乱をより均一にすることができる。
【００３７】
図７に示されるように、本実施の形態の第３の変形例の複数の筒状部５０は、それぞれ、同一の大きさおよび同一の形状を有し、かつ、円形の底面を有する仮想円柱の少なくとも周面を形作る円筒である。これにより、複数の筒状部５０同士の間に形成される隙間、すなわちデッドスペースを極力小さくすることができる。この場合、筒状部５０同士の間に多少のデッドスペースが残存するが、植物２０は、平面視において、一般に放射状に枝および葉を伸長させるため、このデッドスペースはそれほど大きな無駄なスペースではない。
【００３８】
図７に示されるように、複数の筒状部５０の位置ずれを防止するために、複数の筒状部５０のうちの隣り合う２つの筒状部同士が固定部５００によって互いに固定されていることが好ましい。固定部５００は、図４〜図６に示される筒状部５０同士を固定するために用いられてもよい。固定部５００は、ボルトとナットとによる締結、ネジとネジ穴とによる締結、溶着、接着、両面テープの貼付、ホッチキス止め、リベット止め、または、その他のもの、さらにそれらの組合せであってもよい。固定部５００によれば、複数の位置固定部５１のそれぞれが複数の筒状部５０のうちのいずれか１つの位置を固定する場合に比較して、位置固定部５１の数を低減することができる。
【００３９】
本実施の形態においては、複数の筒状部５０の上端は、開口部５０Ｂを形成しているものとするが、透明部材によって塞がれていてもよい。また、複数の筒状部５０の内部空間の寸法は、植物２０の大きさに応じて適宜決定される。
【００４０】
（実施の形態３）
以下、実施の形態３の植物育成装置１００を説明する。本実施の形態の植物育成装置１００は、実施の形態１または２の植物育成装置１００とほぼ同様である。そのため、以下、本実施の形態の植物育成装置１００と実施の形態１または２の植物育成装置１００との相違点を主に説明する。
【００４１】
図示されていないが、本実施の形態の植物育成装置１００は、前述の図４〜図７に示される構造において、一体成形された複数の筒状部５０を備えている。つまり、植物育成装置１００は、図４〜図７に示される構造において、筒状部５０同士の間の境界線を有していない。この場合にも、複数の位置固定部５１のそれぞれが複数の筒状部５０のうちのいずれか１つの位置を固定する場合に比較して、位置固定部５１の数を低減することができる。また、筒状部５０同士の固定のための作業が不要になる。
【００４２】
さらに、図４〜図７において隣り合う筒状部５０の２つの側面部が１つの側面部に一体化されている。そのため、一体化された側面部の厚さを薄くすれば、複数の筒状部５０の全体の重量を小さくすることが可能になり、また、複数の筒状部５０の製造コストを低減することも可能になる。
【００４３】
（実施の形態４）
以下、図８を用いて、実施の形態４の植物育成装置１００を説明する。本実施の形態の植物育成装置１００は、実施の形態１〜３のそれぞれの植物育成装置１００とほぼ同様である。そのため、以下、本実施の形態の植物育成装置１００と実施の形態１〜３のそれぞれの植物育成装置１００との相違点を主に説明する。
【００４４】
実施の形態４の植物育成装置１００の複数の筒状部５０は、それぞれ、少なくとも１つの通気孔５０Ｘを有している。たとえば、図８においては、２つの筒状部５０は、それぞれ、１２個の通気孔５０Ｘを有している。通気孔５０Ｘは、葉２２１，２２２が通過できない程度の大きさであることが望ましい。通気孔５０Ｘの数は、複数の筒状部５０の構造強度に悪影響を与えないのであれば、極力多いことが好ましい。たとえば、それぞれが直径５ｍｍ程度の複数の通気孔５０Ｘが上下方向および左右方向にそれぞれ５ｃｍの間隔をおいて設けられていてもよい。また、２つの筒状部５０の側面部同士が接触している。そのため、隣り合う２つの筒状部５０の通気孔Ｘ同士が互いに連通するように、複数の筒状部５０のそれぞれの通気孔５０Ｘの位置が決定されている。
【００４５】
上記の構成によれば、通気孔５０Ｘを通過する気流が生じる。それにより、複数の葉２２１，２２２のそれぞれが水平方向に流れる気流によって揺すられる。つまり、複数の筒状部５０のそれぞれの内部において、圃場の環境に近い状態が形成される。その結果、複数の葉２２１，２２２全体の光合成を活性化させることができる。また、複数の筒状部５０のそれぞれの内側空間に滞留している植物２０の成長に必要がない過剰な水蒸気を複数の筒状部５０の外側空間へ排出することができる。さらに、植物２０が光合成のために必要とする二酸化炭素を複数の筒状部５０の外側空間から複数の筒状部５０の内側空間へより多く流れ込ませることができる。
【００４６】
（実施の形態５）
以下、実施の形態５の植物育成装置１００を説明する。本実施の形態の植物育成装置１００は、実施の形態１〜４のそれぞれの植物育成装置１００とほぼ同様である。そのため、以下、本実施の形態の植物育成装置１００と実施の形態１〜４のそれぞれの植物育成装置１００との相違点を主に説明する。
【００４７】
本実施の形態においては、上記した各実施の形態の複数の筒状部５０の全体が光を透過する透明部材によって構成されている。そのため、光が筒状部５０によっておおよそ遮られることはない。その結果、複数の茎２０ｂ１，２０ｂ２のそれぞれから伸びる複数の葉２２１，２２２全体に照射される光の量を増加させることができる。たとえば、ある筒状部５０の内側へ入射した光がそのある筒状部５０に隣り合う筒状部５０の内側へ入射する。そのため、複数の葉２２１，２２２全体でより効率的に光合成を行うことができる。具体的には、より上方に存在する葉のみならず、光が照射され難いより下方に存在する葉にも、光が到達し易くなる。
【００４８】
本実施の形態においては、筒状部５０を構成する透明部材は、無色透明および有色透明のいずれであってもよい。また、複数の筒状部５０は、光透過性が高い材料で形成されていることが好ましい。そのため、複数の筒状部５０の全体が、たとえば、アクリル樹脂またはポリカーボネート樹脂によって構成されていることが好ましい。なお、加工性に優れたポリカーボネート樹脂が使用される場合、図８において示される通気孔５０Ｘの形成を容易に行うことができる。
【００４９】
また、筒状部５０を透過する光の透過損失を最小化するため、複数の筒状部５０のそれぞれの厚さは極力小さいほうが好ましい。複数の筒状部５０のそれぞれは、その大きさに依存するが、厚さ２ｍｍ程度の部材によって形成されていることが好ましい。
【００５０】
（実施の形態６）
以下、図９および図１０を用いて、実施の形態６の植物育成装置１００を説明する。本実施の形態の植物育成装置１００は、実施の形態１〜５のそれぞれの植物育成装置１００とほぼ同様である。そのため、以下、本実施の形態の植物育成装置１００と実施の形態１〜５のそれぞれの植物育成装置１００との相違点を主に説明する。
【００５１】
図９に示されるように、複数の筒状部５０のそれぞれの光透過部は、主に上端の開口部５０Ｂである。ただし、開口部５０Ｂは、光透過部としての透明材料によって塞がれていてもよい。
【００５２】
複数の筒状部５０のそれぞれは、その内面の全てがその内側に光を反射するように設けられた反射面５０Ｙを有している。そのため、光透過部としての開口部５０Ｂから筒状部５０内に入射した光が反射面５０Ｙで反射される。それにより、筒状部５０の内側に存在する複数の葉２２１，２２２全体に照射される光の総量を増加させることができる。具体的には、より上方に存在する葉のみならず、光が照射され難いより下方に存在する葉にも、光が到達し易くなる。反射面５０Ｙは、反射率が高い面であることが望ましく、鏡のような全反射をする面であることがさらに望ましい。
【００５３】
図１０に示されるように、本実施の形態の変形例の複数の筒状部５０は、それぞれ、筒状部５０の側面部の一部がＵ字の線に沿って切り抜かれている。このＵ字の内側部分が筒状部５０の内側かつ下方に傾斜するように、筒状部５０の側面部の一部がＵ字の上側両端を通る仮想線分を中心軸として内側に折り曲げられている。この折り曲げられたＵ字の内側の部分に反射面５０Ｙが形成されている。反射面５０Ｙは、前述の折り曲げられたＵ字の内側の部分に反射材料が塗布されることによって形成されている。反射面５０Ｙは、筒状部５０の内側に光を反射する。また、前述の筒状部５０の側面部の一部が内側に折り曲げられることによって、通気孔５０Ｘが筒状部５０に形成されている。
【００５４】
本実施の形態の筒状部５０の構造によっても、より上方に存在する葉のみならず、光が照射され難いより下方に存在する葉にも、光を到達させ易くすることができる。また、図１０に示される構造によれば、通気孔５０Ｘと反射面５０Ｙとを同時に形成することができる。
【００５５】
複数の筒状部５０は、それぞれ、光透過性が高いアクリル樹脂で形成されているが、反射面５０Ｙは、たとえば、鏡などの全反射をする反射材料からなることが好ましい。また、反射材料は、筒状部５０の軽量化の観点から、樹脂製の反射材料であることが好ましい。
【００５６】
本実施の形態においては、前述のＵ字の内側部分は、Ｕ字の上側が斜め上方を向き、かつ、Ｕ字の下側が斜め下方を向くように、筒状部５０の内側に突出している。そのため、植物２０のより下側の葉にも反射光を照射することが可能になる。
【００５７】
（実施の形態７）
以下、実施の形態７の植物育成装置１００を説明する。本実施の形態の植物育成装置１００は、実施の形態１〜６のそれぞれの植物育成装置１００とほぼ同様である。そのため、以下、本実施の形態の植物育成装置１００と実施の形態１〜６のそれぞれの植物育成装置１００との相違点を主に説明する。
【００５８】
植物育成装置１００においては、図示されていないが、複数の筒状部５０が図７に示される複数の筒状部５０によって構成されており、複数の筒状部５０の内面の全体が図１０に示される反射面５０Ｙと同様の反射面によって構成されている。これにより、光が筒状部５０の内側面の全面で均一に全反射されるため、より下側の葉にも光がより多く照射される可能性が高まる。
【００５９】
（実施の形態８）
以下、図１１〜図１４を用いて、実施の形態８の植物育成装置１００を説明する。本実施の形態の植物育成装置１００は、実施の形態１〜７のそれぞれの植物育成装置１００とほぼ同様である。そのため、以下、本実施の形態の植物育成装置１００と実施の形態１〜７のそれぞれの植物育成装置１００との相違点を主に説明する。
【００６０】
図１１に示されるように、植物育成装置１００は、複数の保持部Ｆ、複数の紐状部Ｓ、および複数の引上部Ｒを備えている。複数の保持部Ｆのそれぞれは、複数の筒状部５０のいずれか１つ内において複数の茎２０ｂ１，２０ｂ２のいずれか１つを保持する。複数の紐状部Ｓのそれぞれは、複数の保持部Ｆのうちのいずれか１つに接続されている。複数の紐状部Ｓのそれぞれは、複数の筒状部５０のうちいずれか１つ内において上下方向に沿って延びるように、複数の引上部Ｒのうちのいずれか１つから吊り下げられている。複数の引上部Ｒは、筐体１に固定された支持部１１１に固定されている。複数の引上部Ｒのそれぞれは、複数の茎２０ｂ１，２０ｂ２のうちのいずれか１つの伸長に応じて複数の紐状部Ｓのうちのいずれか１つを予め決定された引上力で引き上げている。
【００６１】
複数の引上部Ｒのそれぞれは、たとえば、茎２０ｂ１，２０ｂ２のそれぞれの伸長に応じて一定の張力で紐状部Ｓを巻き戻すように巻取力が自動的に調整されたリール部である。また、保持部Ｆは、図１１に示されている洗濯バサミのようなクリップであってもよいが、複数の茎２０ｂ１，２０ｂ２のそれぞれを保持できれば、たとえば、茎を引っ掛ける釣り針のような金具またはフックであってもよい。
【００６２】
本実施の形態の複数の保持部Ｆ、複数の紐状部Ｓ、および複数の引上部Ｒを用いれば、複数の茎２０ｂ１，２０ｂ２のそれぞれを引上部Ｒが一定の力で上方へ引き上げる。その結果、図１２に示されるように、一対一の関係で複数の茎２０ｂ１，２０ｂ２を複数の筒状部５０内へ容易に誘導することができる。
【００６３】
図１３に示されるように、本実施の形態の変形例の植物育成装置１００は、支持部１１１に固定された引上部Ｒを有していない。その代わりに、植物育成装置１００は、支持部１１１に固定された複数の紐状部Ｓを備えている。複数の紐状部Ｓのそれぞれは、弾性体で形成されている。複数の弾性体のそれぞれは、複数の茎２０ｂ１，２０ｂ２のうちのいずれか１つの伸長に応じて、複数の茎２０ｂ１，２０ｂ２のうちのいずれか１本を自身の復元力で引き上げる。なお、弾性体は、いわゆる、伸びた状態から縮む状態へ変化するゴム紐である。
【００６４】
図１４に示されるように、弾性体としての複数の紐状部Ｓのそれぞれは、複数の茎２０ｂ１，２０ｂ２のうちのいずれか１本の伸長に伴って縮むことにより、その長さが短くなる。その結果、複数の筒状部５０のうちのいずれか１つの内側へ複数の茎２０ｂ１，２０ｂ２のうちのいずれか１本を容易に誘導することができる。
【００６５】
（実施の形態９）
以下、図１５および図１６を用いて、実施の形態９の植物育成装置１００を説明する。本実施の形態の植物育成装置１００は、実施の形態１〜８のそれぞれの植物育成装置１００とほぼ同様である。そのため、以下、本実施の形態の植物育成装置１００と実施の形態１〜８のそれぞれの植物育成装置１００との相違点を主に説明する。
【００６６】
図１５に示されるように、植物育成装置１００は、複数の筒状部５０のそれぞれの下端に設けられた可撓性の管状部５５を備えている。可撓性の管状部５５は、いわゆる蛇腹と呼ばれる構造を有しており、その長さおよび位置を茎２０ｂ１，２０ｂ２の位置に応じて変化させることができるものである。管状部５５は、下側に向かって先細りとなっている。
【００６７】
図１６に示されるように、複数の可撓性の管状部５５のそれぞれは、開口部２Ａから突出する複数の茎２０ｂ１，２０ｂ２のいずれか１つを複数の筒状部５０のいずれか１つへ導く形状を有している。そのため、複数の筒状部５０のそれぞれは、複数の茎２０ｂ１，２０ｂ２のうちのいずれか１本を確実に受け入れることができる。
【００６８】
上記した本実施の形態の植物育成装置１００によっても、一対一の関係で複数の茎２０ｂ１，２０ｂ２を複数の筒状部５０内へ容易に誘導することができる。
【００６９】
（実施の形態１０）
以下、図１７および図１８を用いて、実施の形態１０の植物育成装置１００を説明する。本実施の形態の植物育成装置１００は、実施の形態１〜９のそれぞれの植物育成装置１００とほぼ同様である。そのため、以下、本実施の形態の植物育成装置１００と実施の形態１〜９のそれぞれの植物育成装置１００との相違点を主に説明する。
【００７０】
図１７に示されるように、植物育成装置１００は、平面視において複数の筒状部５０の全体の外周を取り囲むように形成された導管形状を有する遮光部６０を備えている。遮光部６０は、複数の筒状部５０の外側面に接触し、複数の筒状部５０の外側面に沿って延びる形状である。
【００７１】
図１８に示されるように、遮光部６０は、複数の筒状部５０の下端から光源５よりも高い位置まで上下方向に延びるように設けられている。そのため、遮光部６０は、光源５が下方へ発した光を反射することによって、複数の筒状部５０の内側へ導くことができる。本実施の形態においては、複数の筒状部５０は、透明材料によって形成されている。その結果、光源５から発せられた光は複数の筒状部５０のそれぞれの内側に導かれる。したがって、植物２０の光合成の効率を向上させることができる。また、複数の茎２０ｂ１，２０ｂ２は、一般に光源５に向かって伸長する特性を有しているため、複数の筒状部５０のそれぞれの内側の空間へ複数の茎２０ｂ１，２０ｂ２を容易に誘導することができる。
【００７２】
（実施の形態１１）
以下、図１９および図２０を用いて、実施の形態１１の植物育成装置１００を説明する。本実施の形態の植物育成装置１００は、実施の形態１〜１０のそれぞれの植物育成装置１００とほぼ同様である。そのため、以下、本実施の形態の植物育成装置１００と実施の形態１〜１０のそれぞれの植物育成装置１００との相違点を主に説明する。
【００７３】
図１９および図２０に示されるように、本実施の形態においては、植物育成装置１００は、光源５に加えて、植物２０の地上部２２に光を照射する補助光源Ｌを備えている。補助光源Ｌは、複数の筒状部５０に１対１の対応で設けられた複数の発光部Ｌ１，Ｌ２を含んでいる。そのため、１つの光源５のみが植物２０の地上部２２に光を照射する場合に比較して、複数の葉２２１，２２２に照射される光の量のばらつきを低減することができる。
【００７４】
本実施の形態においては、複数の発光部Ｌ１，Ｌ２のそれぞれは、複数の筒状部５０のうちのいずれか１つの内側に設けられている。複数の筒状部５０は、それぞれ、天井部すなわち閉塞端が透明材料によって形成されているが、その内周面または内側面上に複数の発光部Ｌ１，Ｌ２が発した光を反射するように設けられた反射面５０Ｙを有している。そのため、複数の発光部Ｌ１，Ｌ２が発した光のそれぞれを植物２０の葉２２１，２２２のうちの発光部に対応する葉に効率的に照射することができる。ただし、複数の筒状部５０は、外部の光を取り入れるために、いずれも、反射面５０Ｙを有していないことが好ましい場合もある。
【００７５】
図１９に示されるように、複数の発光部Ｌ１，Ｌ２のそれぞれは、複数の筒状部５０のうちのいずれか１つの天井部の内側面、すなわち閉塞部の内側面に設けられていてもよい。しかしながら、図２０に示されるように、光源５が発する光の進行を妨げない観点から、複数の発光部Ｌ１，Ｌ２のそれぞれは、複数の筒状部５０のうちのいずれか１つの内周面または内側面に設けられていることが好ましい。いずれにしても、複数の発光部Ｌ１，Ｌ２のそれぞれが筒状部５０内側に設けられている場合には、複数の発光部Ｌ１，Ｌ２が発する光のそれぞれを植物２０の葉２２１，２２２のうちの発光部に対応する葉に直接照射することができる。そのため、複数の発光部Ｌ１，Ｌ２が発する光のそれぞれが複数の筒状部５０のうちのいずれか１つを透過する場合に比較して、光の損失を低減することができる。
【００７６】
（実施の形態１２）
以下、図２１および図２２を用いて、実施の形態１２の植物育成装置１００を説明する。本実施の形態の植物育成装置１００は、実施の形態１〜１１のそれぞれの植物育成装置１００とほぼ同様である。そのため、以下、本実施の形態の植物育成装置１００と実施の形態１〜１１のそれぞれの植物育成装置１００との相違点を主に説明する。
【００７７】
図２１および図２２に示されるように、本実施の形態においては、複数の発光部Ｌ１，Ｌ２のそれぞれは、複数の筒状部５０のうちのいずれか１つの外側に設けられている。複数の発光部Ｌ１，Ｌ２のそれぞれは、複数の筒状部５０のそれぞれの透過性部を通じて複数の筒状部５０ののうちのいずれか１つの内側に光を入射させる。これによっても、複数の発光部Ｌ１，Ｌ２が発した光のそれぞれを植物２０の葉２２１，２２２のうちの発光部に対応する葉に効率的に照射することができる。
【００７８】
図２１に示されるように、複数の発光部Ｌ１，Ｌ２のそれぞれは、筒状部５０の天井部の外側面、すなわち閉塞端の外側面に設けられている。この場合、複数の筒状部５０の天面部すなわち閉塞端は、透明部材によって形成されている必要があるが、複数の筒状部５０の内周面または内側面は反射面５０Ｙであってもよい。
【００７９】
図２２に示されるように、複数の発光部Ｌ１，Ｌ２のそれぞれは、筒状部５０の外周面または外側面に設けられていてもよい。この場合、複数の筒状部５０の全体が、透明材料で形成されていることが好ましい。
【００８０】
本実施の形態においては、複数の発光部Ｌ１，Ｌ２のそれぞれは、筒状部５０の上端および下端に取り付けられている。一般的には、より下側にある葉２２１，２２２ほど、光源５が発する光が照射され難いため、複数の発光部Ｌ１，Ｌ２のそれぞれは、筒状部５０のより下側に取り付けられていることが好ましい。
【００８１】
（実施の形態１３）
以下、図２３および図２４を用いて、実施の形態１３の植物育成装置１００を説明する。本実施の形態の植物育成装置１００は、実施の形態１〜１２のそれぞれの植物育成装置１００とほぼ同様である。そのため、以下、本実施の形態の植物育成装置１００と実施の形態１〜１２のそれぞれの植物育成装置１００との相違点を主に説明する。
【００８２】
植物育成装置１００は、複数の発光部Ｌ１，Ｌ２と複数の移動部ＲＳとを備えている。複数の移動部ＲＳのそれぞれは、複数の発光部Ｌ１，Ｌ２のそれぞれを複数の筒状部５０のうちのいずれか１つが延びる方向に沿って移動させる。移動部ＲＳは、引上部Ｒと紐状部Ｓとによって構成されている。引上部Ｒは、紐状部Ｓを巻き上げる巻き取りリールである。複数の引上部Ｒのそれぞれは、植物２０の複数の茎２０ｂ１，２０ｂ２のうちのいずれか１本の伸長に伴って複数の紐状部Ｓのうちのいずれか１つを巻き取る。それにより、複数の発光部Ｌのそれぞれは、複数の筒状部５０のうちのいずれか１つが延びる方向に沿って引き上げられる。
【００８３】
これにより、複数の茎２０ｂ１，２０ｂ２のそれぞれの伸長の度合いに応じて複数の発光部Ｌ１，Ｌ２のそれぞれを適切な位置に移動させることができる。また、複数の茎２０ｂ１，２０ｂ２のそれぞれの伸長を複数の発光部Ｌ１，Ｌ２のそれぞれによって誘導することができる。
【００８４】
複数の引上部Ｒは、植物育成装置１００に内蔵されたマイクロコンピュータ（図示せず）のタイマが計時する時間の経過に応じて、複数の発光部Ｌ１，Ｌ２の位置を上昇させてもよい。
【００８５】
また、複数の発光部Ｌのそれぞれが複数の距離センサを有していてもよい。この場合、複数の距離センサは、複数の茎２０ｂ１，２０ｂ２のそれぞれの先端とそれに対応する複数の発光部Ｌ１，Ｌ２のうちのいずれか１つとの間の距離を検出する。その後、マイクロコンピュータが複数の引上部Ｒを制御する。それにより、複数の引上部Ｒのそれぞれは、茎２０ｂ１，２０ｂ２とその茎に対応する複数の発光部Ｌ１，Ｌ２のうちのいずれか１つとの間の距離が常に予め定められた一定値になるように紐状部Ｓを巻き取る。これによっても、複数の茎２０ｂ１，２０ｂ２のそれぞれが、複数の筒状部５０のうちのいずれか１つに沿って伸長するように、複数の茎２０ｂ１，２０ｂ２のうちのいずれか１つの伸長を誘導することができる。
【００８６】
以下、実施の形態の植物育成装置１００の特徴的構成およびそれにより得られる効果をまとめて記載する。
【００８７】
（１）  実施の形態の植物育成装置１００は、少なくとも１つの植物２０の地下部２１の上方に設置された複数の筒状部５０を備えている。複数の筒状部５０のそれぞれは、光を内側に透過させる光透過部を有し、少なくとも１つの植物２０の地下部２１から伸びる複数の茎２０ｂ１，２０ｂ２のうちのいずれか１つを受け入れるように配置されている。
【００８８】
上記の構成によれば、ある茎２０ｂ１から伸びる葉２２１とある茎２０ｂ１に隣り合う茎２０ｂ２から伸びる葉２２２とが重なり合わないようにすることができる。その結果、複数の茎２０ｂ１，２０ｂ２から伸びる複数の葉２２１，２２２の全体での光合成の効率を向上させることができる。
【００８９】
（２）  複数の筒状部５０は同一方向に沿って延びるように配置され、複数の筒状部５０のうちの隣り合う２つの筒状部５０同士が互いに接触するように設けられていてもよい。これにより、各筒状部５０内の空間を大きくしながら、平面視における複数の筒状部５０の全体の占有面積を小さくすることができる。
【００９０】
（３）  複数の筒状部５０は、それぞれ、同一の大きさおよび同一の形状を有し、かつ、正三角形、長方形、もしくは正六角形の底面を有する仮想角柱の少なくとも側面を形作る角筒であってもよい。また、複数の筒状部５０は、それぞれ、仮想円柱の少なくとも周面を形作る円筒であってもよい。これにより、複数の筒状部５０同士の間に形成される隙間を極力小さくすることができる。
【００９１】
（４）  複数の筒状部５０のうちの隣り合う２つの筒状部５０同士が固定部５００によって互いに固定されるか、または、複数の筒状部５０が一体成形されていることが好ましい。これにより、複数の筒状部５０のそれぞれの位置を固定する位置固定部５１を設ける場合に比較して、位置固定部５１の数を低減することができる。
【００９２】
（５）  複数の筒状部５０のそれぞれは、少なくとも１つの通気孔５０Ｘを有していてもよい。これにより、通気孔５０Ｘを通過する気流を生じさせることができる。それにより、圃場などの環境により近い状態を形成することができる。
【００９３】
（６）  複数の筒状部５０の全体が透明部材によって構成されていてもよい。これにより、光が筒状部５０によって遮られることがない。そのため、複数の茎２０ｂ１，２０ｂ２のそれぞれから伸びる複数の葉２２１，２２２全体に照射される光の量を増加させることができる。
【００９４】
（７）  複数の筒状部５０は、それぞれ、その内側に光を反射するように設けられた反射面５０Ｙを有していてもよい。これにより、光を反射させることにより、筒状部５０の内側に存在する複数の葉２２１，２２２全体に照射される光の総量を増加させることができる。
【００９５】
（８）  植物育成装置１００は、複数の保持部Ｆおよび複数の紐状部Ｓを備えていてもよい。また、複数の保持部Ｆは、それぞれが複数の筒状部５０のいずれか１つ内において複数の茎２０ｂ１，２０ｂ２のいずれか１つを保持する。複数の紐状部Ｓのそれぞれは、複数の筒状部５０のうちのいずれか１つ内において延びるように、複数の保持部Ｆのうちのいずれか１つに接続されている。植物育成装置１００は、それぞれが複数の茎２０ｂ１，２０ｂ２のうちのいずれか１つの伸長に応じて複数の紐状部Ｓのうちのいずれか１つを引き上げる複数の引上部Ｒをさらに備えていてもよい。複数の紐状部Ｓのそれぞれは、複数の茎２０ｂ１，２０ｂ２のうちのいずれか１つの伸長に応じて複数の保持部Ｆのうちのいずれか１つを引き上げる弾性体で形成されていてもよい。これにより、１対１の対応で、複数の筒状部５０内に植物２０の複数の茎２０ｂ１，２０ｂ２を確実に誘導することができる。
【００９６】
（９）  植物育成装置１００は、複数の可撓性の管状部５５をさらに備えていてもよい。複数の可撓性の管状部５５のそれぞれは、複数の筒状部５０の下端に設けられている。複数の可撓性の管状部５５のそれぞれは、複数の茎２０ｂ１，２０ｂ２のうちのいずれか１つを複数の筒状部５０のうちのいずれか１つへ導く形状を有する。これによっても、１対１の対応で、複数の筒状部５０内に植物２０の複数の茎２０ｂ１，２０ｂ２を確実に誘導することができる。
【００９７】
（１０）  植物育成装置１００は、平面視において複数の筒状部５０の全体の外周を取り囲む導管形状を有し、その内側面で光を反射することにより、複数の筒状部５０の内側へ光を導く遮光部６０をさらに備えていてもよい。これにより、光源５から発せられた光は複数の筒状部５０のそれぞれの内側に導かれる。そのため、複数の筒状部５０のうちのいずれか１つ内に確実に植物２０の複数の茎２０ｂ１，２０ｂ２を誘導することができる。
【００９８】
（１１）  植物育成装置１００は、複数の筒状部５０に１対１の対応で設けられた複数の発光部Ｌ１，Ｌ２を含んでいてもよい。これにより、複数の茎２０ｂ１，２０ｂ２に照射される光の量のばらつきを低減することができる。
【００９９】
（１２）  複数の発光部Ｌ１，Ｌ２のそれぞれは、複数の筒状部５０のうちのいずれか１つの内側に設けられていてもよい。複数の筒状部５０は、それぞれ、その内側に複数の発光部Ｌ１，Ｌ２が発した光を反射するように設けられた反射面５０Ｙを有していてもよい。これにより、複数の発光部Ｌ１，Ｌ２が発した光のそれぞれを複数の植物２０の葉２２１，２２２のうちの発光部に対応する葉に効率的に照射することができる。
【０１００】
（１３）  複数の発光部Ｌ１，Ｌ２のそれぞれは、複数の筒状部５０のうちのいずれか１つの光透過部を通じて複数の筒状部５０のうちのいずれか１つの内側に光を入射させるように、複数の筒状部５０のうちのいずれか１つの外側に設けられていてもよい。これによっても、複数の発光部Ｌ１，Ｌ２が発した光のそれぞれを複数の植物２０の葉２２１，２２２のうちの発光部に対応する葉に効率的に照射することができる。
【０１０１】
（１４）  植物育成装置１００は、複数の発光部Ｌ１，Ｌ２と複数の移動部ＲＳとを備えている。複数の移動部ＲＳのそれぞれは、複数の発光部Ｌ１，Ｌ２のうちのいずれか１つを複数の筒状部５０のうちのいずれか１つが延びる方向に沿って移動させる。これにより、複数の茎２０ｂ１，２０ｂ２のそれぞれの伸長の度合いに応じて適切な位置に複数の発光部Ｌ１，Ｌ２のそれぞれを移動させることができる。
【符号の説明】
【０１０２】
２０  植物
２０ｂ１，２０ｂ２  茎
２１  地下部
２２  地上部
５０  筒状部
５０Ｘ  通気孔
５０Ｙ  反射面
５５  管状部
６０  遮光部
１００  植物育成装置
２２１，２２２  葉
５００  固定部
Ｆ  保持部
Ｌ１，Ｌ２  発光部
Ｒ  引上部
Ｓ  紐状部
ＲＳ  移動部
【図１】
2017131183.tif 000003
【図２】
2017131183.tif 000004
【図３】
2017131183.tif 000005
【図４】
2017131183.tif 000006
【図５】
2017131183.tif 000007
【図６】
2017131183.tif 000008
【図７】
2017131183.tif 000009
【図８】
2017131183.tif 000010
【図９】
2017131183.tif 000011
【図１０】
2017131183.tif 000012
【図１１】
2017131183.tif 000013
【図１２】
2017131183.tif 000014
【図１３】
2017131183.tif 000015
【図１４】
2017131183.tif 000016
【図１５】
2017131183.tif 000017
【図１６】
2017131183.tif 000018
【図１７】
2017131183.tif 000019
【図１８】
2017131183.tif 000020
【図１９】
2017131183.tif 000021
【図２０】
2017131183.tif 000022
【図２１】
2017131183.tif 000023
【図２２】
2017131183.tif 000024
【図２３】
2017131183.tif 000025
【図２４】
2017131183.tif 000026